(57)【特許請求の範囲】
【請求項１】
パネル枠と前記パネル枠に取り付けられるパネル板を有する二つのローパーティションを出入口を形成するように離設し前記二つのローパーティションの前記出入口を形成する対向する端部と端部との両端部間に前記両端部間を開閉可能な開閉用の引戸式のスライドドアを設け、一方のローパーティション側の一面の上下の前記端部近傍に切欠部を形成するとともに前記切欠部に対応する位置の前記パネル枠に前記切欠部に相当する形状のローラ取付座を取り付け、前記ローラ取付座に複数個のローラを水平配置として上下に回転自在に設け、前記一方のローパーティションの前記一面側の面である前記ドアの一面には前記ローラに係合してスライド可能なレールを固設し、
前記ドアは前記出入口の横幅及び前記ローラ取付座の横幅を覆うことが可能な横幅を有し、前記ローラはドアの開閉に拘わらず常時隠蔽状態とされていることを特徴とするローパーティション用スライドドア。
【請求項２】
前記スライドドアの開閉端側にストッパを備え、ローパーティション側に上記ストッパの当接部を設け、開閉時における位置決めとされている請求項１記載のローパーティション用スライドドア。
【請求項３】
前記スライドドアのストッパはキヤッチャを備え、開閉時ロック状態が得られるようにされている請求項２記載のローパーティション用スライドドア。
【請求項４】
前記スライドドアの閉端側のローパーティションに該ドアを閉めたときその自由端の振れを防止する戸袋が設けられている請求項１記載のローパーティション用スライドドア。
【発明の詳細な説明】
【０００１】
【発明の属する技術分野】
本発明は出入口を形成するように離設されたローパーティションの両端部間に設置されその出入口を開閉自在としたスライドドアに係り、特に開け閉めの際に美観を損なうことのないローパーティション用スライドドアに関する。
【０００２】
【従来の技術】
一般にオフィス等の事務室においては、比較的広いスペース内に部署毎にデスクを纏めて配置するために隣り合う部署または廊下との間には間仕切り等が設けられている。
【０００３】
この間仕切りや目隠しには一般に比較的高さの低いパーティション（ローパーティション）を連結設置して室を仕切るようになされている。
【０００４】
このようなローパーティションによる間仕切りを行うと、間仕切りの内外の出入りができなくなるため通常両間仕切りの端部間を空けておき、ここを出入口とするようにすることが多い。
【０００５】
【発明が解決しようとする課題】
しかし空けたままでは出入口から内部が丸見えとなる。そこでこのドアも蝶番式にすると取付けは簡単であるが、通行の際にドアが障害物等の存在により完全に開かずに半開きなったりすると通り難くなり、特に物を持って出入りする場合などでは一層その傾向が増大するという問題があった。
【０００６】
本発明は上記のような問題の対策としてドアを引戸式とし、しかもドアの取付け状態が外から見えないようにすることにより見栄えも優れたローパーティションのスライドドアを提供することを課題としてなされたものである。
【０００７】
【課題を解決するための手段】
すなわち請求項１記載の発明は、出入口を形成するように離設されたローパーティションの両端部間に開閉用のスライドドアを設け、一方のローパーティション側の一面に複数個のローラを水平配置として上下に回転自在に設け、前記ドアの一面には前記ローラに係合してスライド可能なレールを固設し、前記ローラはドアの開閉に拘わらず常時隠蔽状態とされるようにしたことにある。
【０００８】
上記構成によれば、スライドドアを開の状態にスライドさせれば完全な出入口が形成され、閉の状態にスライドさせればスライドドアはローパーティションの一部となって出入口が完全に閉鎖される。
【０００９】
請求項２記載の発明は、請求項１において前記スライドドアの開閉端側にストッパを備え、ローパーティション側に上記ストッパの当接部を設け、開閉時における位置決めとされるようにしたことにある。
【００１０】
上記構成によれば、前記スライドドアの開閉時においてはストッパが当接部に接触することにより位置決めされるから必要以上にスライドすることをなくすることができる。
【００１１】
請求項３記載の発明は、請求項２において前記スライドドアのストッパにキヤッチャを設け、開閉時ロック状態とされるようにしたことにある。
【００１２】
上記構成によれば、前記ドアのストッパの構造はキヤッチャ付きとなっているから開閉時の際はロック状態に保持され、スライドした際の反動で動いてしまうことがない。
【００１３】
請求項４記載の発明は、請求項１において前記ドアの閉端側のローパーティションにドアを閉めたときスライドドアの自由端の振れを防止する戸袋を付設したことにある。
【００１４】
上記構成によれば、スライドドアの自由端の振れはこの戸袋により防止されるので、ローパーティション側からドアが離れる方向に力が加わってもドアが振れることが防止される。
【００１５】
【発明の実施の形態】
以下、本発明を図面に示す実施の形態を参照して説明する。
【００１６】
図１は本発明のローパーティションおよびこれに取付られるスライドドアを分解した状態の斜視図を示すもので、ローパーティションを形成するパネル枠１の一面には上下方向に４枚のパネル板２ａ，２，２ｂ，２が取付けられるようになっている。パネル枠１を形成する上段および中段の横桟１ａ、１ｂの端部にはローラ取付座３を取付けるための一対の取付用のネジ孔１ｃ，１ｃがそれぞれ設けられている。
【００１７】
前記ローラ取付座３の詳細は後述するが、概略を示すと横長の板材の中央部に前記ネジ孔１ｃ，１ｃにネジ止めされるビス用孔３ａ，３ａが穿設され、それから端部側に向かってローラ４，４が取付座３面から軸部が突出するように設けられ、ローラ４自体は内部にベアリング等を挿入することにより回転自由に取付けられている。さらにその外側となる両端部には丸棒材等からなるストッパ当接部５，５が取付座３面からローラ４，４と同様に突出状態に設けられている。
【００１８】
パネル板２ａおよび２ｂは前記ローラ取付座３との干渉を避けるため、パネル板２ａは上側の一部が、パネル板２ｂは下側の一部がそれぞれ切欠かれた切欠部２ｃ，２ｄを有している。これらローラ取付座３は上段および中段の横桟１ａ、１ｂにビス６により取付けられる。
【００１９】
スライドドア７は図１の右側に示すように、本体を四角形の平板状のカバー板７ａとし、その周縁は上下がローラ４，４に係合するスライドレール７ｂ、７ｂ、縦方向がスライドレール７ｂ、７ｂの連結用枠体７ｃとしたコの字形の枠体に嵌め込まれ、他側に別体の枠体７ｃをビス８等により取付けることによりスライドドア７が形成される。図中、符号９はビス８の化粧用カバーである。
【００２０】
図２は図１の組立図で、（Ａ）は平面図、（Ｂ）は正面図、（Ｃ）は（Ｂ）のＡ−Ａ断面を示す。
【００２１】
図１におけるパネル枠１にパネル板２ａ，２，２ｂ，２が取付けられて形成されたローパーティション１Ａとパネル枠１に４枚のパネル板２が取付けらて形成されたローパーティション１Ｂとは床上に互いに固定的に立設され、その間に形成された出入口１０にスライドドア７がローパーティション１Ａに設けられた上下の各一組のローラ４，４により一定高さに保持されて、出入口１０の目隠しとなるように設けられる。
【００２２】
なお図２（Ｂ）において符号１１および１４は、ドア７の移動により前記ストッパ当接部５に当接して移動範囲を規制するストッパで、スライドドア７の上下に設けられている。このストッパ１４については図３で詳細を説明する。
【００２３】
また図２（Ａ），（Ｂ）において符号１２は、ローパーティション１Ｂ側の端部に設けられた水平断面がＬ形状の戸袋を示し、スライドドア７を閉動したとき、このドア７の自由端の振れを防止するための支えとなるものである。しかしこの戸袋１２は必ずしも設けずともよい。
【００２４】
図３は図２のローパーティション１Ａとスライドドア７の取付関係の詳細で、（Ａ）は平面図、（Ｂ）は正面図、（Ｃ）は（Ｂ）のＢ−Ｂ断面図、（Ｄ）は  （Ｂ）の側面図、また（Ｅ）は（Ａ）のＣ−Ｃ断面図を示す。
【００２５】
図３（Ａ）および（Ｅ）に示すように図１に示したローラ取付座３の裏側には断面四角筒形の部材３′が固着されていて、ローパーティション１Ａ側に嵌め込まれた部材３′の奥に設けられたビス用孔３ａ，３ａはパネル枠１の横桟１ａ、１ｂのネジ孔１ｃ，１ｃとビス６，６により固着される。
【００２６】
前記ローラ４は図３（Ｅ）に示すようにスライドドア７のスライドレール７ｂに上下を保持され、このレール７ｂに対して転動可能となっている。
【００２７】
また図２（Ｂ）に示したストッパ１１の詳細は、図３（Ａ）および（Ｂ）に示すようにスライドレール７ｂと平行な平板材により形成され、その基端部分においてスライドドア７の枠体７ｃに前記のビス８により締結され、ストッパ当接部５に当接したときこの位置でスライドが停止するようになっている。
【００２８】
さらにこの枠体７ｃの対向する他側の枠体７ｃにはストッパ１１に対向する位置に同じく平板材からなる短いストッパ１４がビス８により締結され、同様に反対側のストッパ当接部５に当接したときこの位置でスライドが停止するようになっている。
【００２９】
図４はストッパ１１および１４の先端部に設けられるキヤッチャ１５の一例を示すもので、バネ性を持ってＵ字形に形成された受部１５ａとその開放端に設けられたローラ１５ｂとで構成され、受部１５ａは基端部においてストッパ１１および１４の先端部に埋め込まれた状態に取付けられている。そしてローラ１５ｂ，１５ｂ間はストッパ当接部５の外径よりも狭い寸法とされている。
【００３０】
したがってストッパ１１および１４の先端のキヤッチャ１５がスライドドア７の移動によりストッパ当接部５に当接したしときローラ１５ｂ，１５ｂ間はストッパ当接部５により広げられ、ストッパ当接部は受部１５ａのＵ字形内に収容されるのでストッパ１１および１４はストッパ当接部５により乱りに動かぬようロックされることになる。
【００３１】
つぎに作用を説明する。
図３（Ａ），（Ｂ）に示すスライドドア７は中途で切断した状態を示しているが、これは右側半分はスライドドア７を開いた状態、左側半分はスライドドア７を閉じた状態を同一図面内で説明するようにしたことによる。
【００３２】
すなわち、スライドドア７を開く場合は、ローパーティション１Ａ側にスライドドア７をスライドさせてストッパ１１がストッパ当接部５に当接した時点で位置決めされ、これ以上開く方向へのスライドが不可となり、スライドドア７は全開状態となる。
【００３３】
またスライドドア７を閉じる場合は、ローパーティション１Ａ側からにスライドドア７をローパーティション１Ｂ側にスライドさせてストッパ１４がストッパ当接部５に当接した時点で位置決めされ、これ以上閉じる方向へのスライドが不可となり、スライドドア７は全閉状態となる。
【００３４】
このとき、ストッパ１１および１４に図４に示したようにキヤッチャ１５を設けることにより全開・全閉時におけるスライドドア７のロックが確実に行える。
【００３５】
さらに全閉状態時にスライドドア７の自由端とローパーティション１Ｂ側とは無拘束状態となるので、図２（Ａ）に示すようにローパーティション１Ｂ側に戸袋１２を設けてあれば仮にドア７の自由端側が押された場合でも振れることが防止される。
【００３６】
【発明の効果】
以上のように本発明によれば下記の効果を奏する。
【００３７】
１）請求項１によれば、スライドドアを開の状態にスライドさせれば完全な出入口が形成され、閉の状態にスライドさせればドアはローパーティションの一部となって出入口が完全に閉鎖され、しかもローパーティションに設置されたローラが完全にドアにより隠蔽されるので見栄えが良くなる。
【００３８】
２）請求項２によれば、スライドドアの開閉時においてはストッパが当接部に接触することにより位置決めされるから必要以上にスライドすることが防がれる。
【００３９】
３）請求項３によれば、前記スライドドアのストッパの構造をキヤッチャ付きとしてあることから開閉時にはロック状態に保持され、スライドの反動で動いてしまうことがない。
【００４０】
４）請求項４によれば、スライドドアの自由端の振れがこの戸袋により防止されるので、ローパーティション側からスライドドアが離れる方向に力が加えられても振れることを防ぐことができる。
【図面の簡単な説明】
【図１】本発明にかかるローパーティション、およびこれに取付けられるスライドドアの分解した状態を示す斜視図。
【図２】図１の組立図で、（Ａ）は平面図、（Ｂ）は正面図、（Ｃ）は（Ｂ）のＡ−Ａ断面図。
【図３】図２のローパーティションとスライドドアの取付関係の詳細を示し、（Ａ）は平面図、（Ｂ）は正面図、（Ｃ）は（Ａ）のＢ−Ｂ断面図、（Ｄ）は（Ｂ）の側面図、（Ｅ）は（Ｂ）のＣ−Ｃ断面図。
【図４】図３のストッパの先端部に設けられるキヤッチャの一例を示す説明図。
【符号の説明】
１Ａ，１Ｂ  ローパーティション
３  ローラ取付座
４  ローラ
５  ストッパ当接部
７  スライドドア
７ｂ  スライドレール
１０  出入口
１１  ストッパ
１２  戸袋
１４  ストッパ
１５  キヤッチャ
１５ａ  受部
１５ｂ  ローラ
【図１】
0004354049.tif 000002
【図２】
0004354049.tif 000003
【図３】
0004354049.tif 000004
【図４】
0004354049.tif 000005